(57)【要約】【課題】本開示の目的は、口紅の利用者が手軽に利用可能であり、かつ、口紅を唇に塗布したイメージを利用者が即座に目視で確認可能な、メイクアップ支援具を提供する。【解決手段】利用者が携帯可能な本体部１１と、本体部１１の少なくとも一部に設けられた平坦な表示部１２と、表示部１２において口紅を塗布可能な領域に設けられ、かつ、利用者の唇の形状を模した模擬唇１３と、を有する、メイクアップ支援具１０を構成した。【選択図】図１
0003232469.tif 000002
【実用新案登録請求の範囲】
【請求項１】
利用者が携帯可能な本体部と、
前記本体部の少なくとも一部に設けられた平坦な表示部と、
前記表示部において口紅を塗布可能な領域に設けられ、かつ、前記利用者の唇の形状を模した模擬唇と、
を有する、メイクアップ支援具。
【請求項２】
請求項１記載のメイクアップ支援具において、
前記本体部は、プレート形状を有する、メイクアップ支援具。
【考案の詳細な説明】
【技術分野】
【０００１】
本考案は、口紅の利用者が化粧品売り場等で口紅を購入する前に、口紅の試し塗りを行うために用いるメイクアップ支援具に関する。
【背景技術】
【０００２】
従来、口紅の利用者が化粧品売り場等で口紅を購入する場合、試し塗り用のテスターを用いて自分の手首、手の甲等に口紅の試し塗りを複数回繰り返した後、利用者のイメージに合う口紅を購入している。しかし、唇と、手首または手の甲とでは、若干色味が異なるため、口紅を実際に唇に塗布した場合、利用者が想定していたイメージとは異なる可能性がある。
【０００３】
このような不都合に対処可能なメイクアップ支援システムの一例が、特許文献１に記載されている。特許文献１に記載されているメイクアップ支援システムは、利用者を撮影した画像を取得するユーザー画像取得部と、サンプル画像を複数パターン蓄積するサンプル画像蓄積部と、利用者に対して、質疑を出力し、それに対する応答の入力をアンケート回答として受け付けるアンケート入力部と、アンケート回答を解析するアンケート解析部と、サンプル画像蓄積部から、アドバイザーの操作に応じて、任意のサンプル画像を取するサンプル画像取得部と、アドバイザーが選択したサンプル画像を基準画像とし、アンケート解析部による解析結果と、選択された基準画像とに基づいて、基準色を抽出する基準色抽出部と、ユーザー画像を被加工画像とし、基準色に基づいて、該被加工画像を加工し、サンプル画像に合成する画像加工部と、が記載されている。
【０００４】
特許文献１に記載されたメイクアップ支援システムでは、メイクアップ支援プログラムを、パーソナルコンピューターやタブレットＰＣ等の情報処理装置にインストールし、かつ、情報処理装置をメイクアップ支援システム用の端末として動作させるものである。特許文献１に記載された技術によれば、店舗を通じての口紅等の化粧品販売において、客観的、かつ、利用者のメイクイメージに則したコーディネートが可能である、とされている。
【先行技術文献】
【特許文献】
【０００５】
【特許文献１】特開２０２０−１３３６８号公報
【考案の概要】
【考案が解決しようとする課題】
【０００６】
本願考案者は、特許文献１に記載されたメイクアップ支援システムでは、システムを構築するためのプログラム、パーソナルコンピューターやタブレットＰＣ等の情報処理装置、メイクアップ支援システム用の端末等が必要であり、口紅の利用者が手軽に利用しにくく、かつ、口紅を唇に塗布したイメージの確認に長時間を要する、という課題を認識した。
【０００７】
本考案の目的は、口紅の利用者が手軽に利用可能であり、かつ、口紅を唇に塗布したイメージを利用者が即座に目視で確認可能な、メイクアップ支援具を提供することにある。
【課題を解決するための手段】
【０００８】
本考案のメイクアップ支援具は、利用者が携帯可能な本体部と、前記本体部の少なくとも一部に設けられた平坦な表示部と、前記表示部において口紅を塗布可能な領域に設けられ、かつ、前記利用者の唇の形状を模した模擬唇と、を有する。
を有する。
【考案の効果】
【０００９】
本考案のメイクアップ支援具によれば、口紅の利用者が手軽に利用可能であり、かつ、口紅を唇に塗布したイメージを利用者が即座に目視で確認可能である。
【図面の簡単な説明】
【００１０】
【図１】（Ａ）は、本考案のメイクアップ支援具の斜視図、（Ｂ）は、メイクアップ支援具の平面図である。
【考案を実施するための形態】
【００１１】
本考案のメイクアップ支援具は、口紅の利用者が化粧品売り場等で口紅を購入する前に、口紅の試し塗りを行うために用いる。以下、メイクアップ支援具の実施形態を図面に基づいて詳細に説明する。なお、メイクアップ支援具を説明するための全図において、同一部には原則として同一の符号を付し、その繰り返しの説明は省略する。
【００１２】
図１（Ａ）、（Ｂ）は、メイクアップ支援具１０の実施例を示している。メイクアップ支援具１０は、本体部１１と、本体部１１の表面に設けられた表示部(表示領域)１２と、表示部１２に設けられた模擬唇１３と、を有する。本体部１１は、プラスチック製、例えば、塩化ビニル、ポリエチレン、ポリプロピレン、ポリウレタン、ポリスチレン等の熱可塑性樹脂を用いて一体成形されている。本体部１１は、プレート形状を有し、本体部１１の厚さＴ１は、例えば、５ｍｍから８ｍｍの範囲内に設定することが可能である。
【００１３】
また、本体部１１を平面視した場合における外周形状は、四角形、例えば長方形であり、本体部１１は長縁１４及び短縁１５を有する。長縁１４及び短縁１５を本体部１１を平面視した場合の寸法（サイズ）は、略名刺大である。長縁１４の寸法Ｌ１は、短縁１５の寸法Ｌ２よりも長く、例えば、寸法Ｌ１は９１ｍｍ、寸法Ｌ２は５５ｍｍに設定することが可能である。
【００１４】
本体部１１の表裏を構成する第１面１６及び第２面１７のうち、少なくとも第１面１６に表示部１２が設けられている。表示部１２は、略平坦であり、かつ、写真の印刷が可能な程度の表面粗さを有する。そして、表示部１２に模擬唇１３が設けられている。模擬唇１３は、例えば、利用者の唇を含む顔面の一部を撮影した写真を、表示部１２に直接に印刷して設けることが可能である。写真はカラーで写真であり、かつ、利用者の唇の実際の形、唇の実際の色が目視できる程度の解像度を有する。なお、唇の写真は、デジタル写真、または、アナログ写真の何れでもよい。
【００１５】
なお、表示部１２に設ける唇の写真は、表示部１２に写真を直接に印刷して設ける他、表示部１２の表面に、写真が印刷されたシールを接着したものであってもよい。また、写真が印刷された転写シールまたは転写フィルムを表示部１２に密着させ、転写シールまたは転写フィルムを擦ることで、写真を表示部１２に転写することにより、表示部１２に模擬唇１３を設けることも可能である。
【００１６】
メイクアップ支援具１０は、前述したような形状、寸法を有するため、利用者は、ハンドバッグ、ポーチ等にメイクアップ支援具１０を収容して携帯し、かつ、化粧品売り場へ立ち寄ることができる。利用者は、店頭に用意されている口紅のテスターをメイクアップ支援具１０の模擬唇１３に塗布することで、自分の唇の形及び色と、塗布される口紅の色との相性、自分の好み等を、視覚的に確認し、かつ、イメージすることが可能である。また、表示部１２をティッシュペーパー、布等で払拭することにより、口紅を模擬唇１３から除去し、他の口紅のテスターを模擬唇１３に塗布することができる。したがって、メイクアップ支援具１０の利用者は、複数種類の口紅を事前にテスターで試し、何れかの口紅を選択して購入可能であり、便利である。
【００１７】
さらに、メイクアップ支援具１０は、模擬唇１３への口紅の塗布、払拭及び確認を、複数回繰り返すことが可能である。したがって、利用者は、メイクアップ支援具１０によって口紅の試し塗りを手軽に利用でき、かつ、口紅を唇に塗布したイメージの確認を短時間で行うことが可能である。また、口紅のテスターは、利用者の手首、手の甲等に塗布しないため、払拭による肌荒れを防止できる。また、他の利用者が使用した口紅のテスターを、自分の肌に直接接触させずに済み、衛生面からも好ましい。
【００１８】
さらに、口紅を塗ったメイクアップ支援具１０を利用者の顔に当てて、鏡で確認することもできる。さらに、メイクアップ支援具１０は、前述したような形状、寸法を有するため、利用者は、ハンドバッグ、ポーチ等にメイクアップ支援具１０を収容可能であるため、メイクアップ支援具１０を利用する環境及び場所が制限されない。
【００１９】
本実施形態で説明した事項の技術的意味の一例は、次の通りである。本体部１１は、本体部１１の一例であり、表示部１２は、表示部の一例である。模擬唇１３は、模倣唇の一例である。本実施形態の本棚は、図面を用いて開示されたものに限定されるものではなく、その要旨を逸脱しない範囲で種々変更可能である。例えば、本実施形態において、本体部は、前述した寸法とは異なる寸法であってもよい。また、本体部は、シート、フィルムマット等でもよい。さらに、第２表面にも、表示部及び模擬唇が設けられていてもよい。
【産業上の利用可能性】
【００２０】
本実施形態のメイクアップ支援具は、化粧品売り場、店頭等のように、場所、環境を問わず、利用者が口紅を実際に唇に塗布する前において、唇へ口紅を塗布したイメージを確認することに利用可能である。
【符号の説明】
【００２１】
１０…メイクアップ支援具、１１…本体部、１２…表示部、１３…模擬唇
【図１】
0003232469.tif 000003